(57)【要約】【課題】流量計を用いずに、熱媒体の流量を把握する。【解決手段】チラーユニット２０ａ〜２０ｃは、水を加熱または冷却する。利用ユニット３０ａ〜３０ｃは、利用側熱交換器３３ａ〜３３ｃと、送風ファン３６ａ〜３６ｃとを有する。熱媒体回路４０は、インバータ駆動式の二次側ポンプ４６，４７を有し、チラーユニット２０ａ〜２０ｃ及び利用ユニット３０ａ〜３０ｃの間で水を循環させる。流量推定部８２ａは、熱媒体回路４０内を循環する水の流量を推定する。チラー関連制御部８２ｂは、推定された水の流量Ｑに基づいて、チラーユニット２０ａ〜２０ｃに関する制御を行う。そして、流量推定部８２ａは、二次側ポンプ４６，４７の送水圧力の計測値あるいは二次側ポンプ４６，４７の消費電力値と、二次側ポンプ４６，４７のインバータ周波数とを用いて、水の流量Ｑを推定する。【選択図】図１
2014035101.tif 000002
【特許請求の範囲】
【請求項１】
熱媒体を加熱または冷却する熱源機（２０ａ〜２０ｃ）と、
前記熱媒体と空気との間で熱交換を行わせて前記空気を加熱または冷却させる熱交換器（３３ａ〜３３ａ）と、加熱または冷却された前記空気を空調対象空間に供給するファン（３６ｂ〜３６ｂ）と、を有する利用ユニット（３０ａ〜３０ｃ）と、
インバータ駆動式の循環ポンプ（４６，４７）を少なくとも１台有し、前記熱源機及び前記利用ユニットの間で前記熱媒体を循環させる熱媒体回路（４０）と、
前記熱媒体回路内を循環する前記熱媒体の流量を推定する流量推定部（８２ａ）と、
前記流量推定部により推定された前記熱媒体の流量に基づいて、前記熱源機に関する制御を行う制御部（８２ｂ）と、
を備え、
前記流量推定部（８２ａ）は、前記循環ポンプの送水圧力の計測値あるいは前記循環ポンプの消費電力値と、前記循環ポンプのインバータ周波数とを用いて、前記熱媒体の流量を推定する、
空調システム（１０）。
【請求項２】
前記熱源機は、複数台あって、互いに並列接続されており、
前記熱源機に関する制御には、運転する前記熱源機の台数を可変する前記熱源機の台数制御が含まれる、
請求項１に記載の空調システム（１０）。
【請求項３】
前記制御部（８２ｂ）は、前記熱源機の台数制御において前記熱源機の台数を１台から２台へと増やした際に必要となる前記熱媒体の流量が、前記流量推定部が推定できる前記熱媒体の下限流量を上回るように、前記送水圧力の下限値と前記インバータ周波数の下限値とを設定する、
請求項２に記載の空調システム（１０）。
【請求項４】
前記熱源機は、定速熱源機であって、
前記熱源機の台数を１台から２台へと増やした際に必要となる前記熱媒体の流量とは、各前記熱源機の定格流量の合計値である、
請求項３に記載の空調システム（１０）。
【請求項５】
前記熱媒体回路は、該熱媒体回路内を循環する前記熱媒体の流量を調節する流量調節弁（４５）を更に有し、
前記流量推定部は、更に前記流量調節弁の開度情報を用いて、前記熱媒体の流量を推定する、
請求項１から請求項４のいずれか１項に記載の空調システム（１０）。
【発明の詳細な説明】
【技術分野】
【０００１】
本発明は、空調システムに関する。
【背景技術】
【０００２】
空調対象空間内の空気を加熱または冷却するシステムとしては、例えば特許文献１（特開２００５−２４１１２号公報）に示されるシステムが知られている。特許文献１に係るシステムでは、一次側ポンプ、熱源機器、二次側ポンプ、バルブ、及び負荷側機器（即ち、利用側機器）が順次接続されることで、負荷側系統つまりは熱媒体回路が構成されている。この熱媒体回路内には、熱媒体としての水が循環している。熱媒体回路内における熱媒体としての水と空調対象空間内の空気とが、熱交換器において熱交換されることにより、空気は、加熱または冷却される。
【発明の概要】
【発明が解決しようとする課題】
【０００３】
ところで、熱媒体回路内におけるバルブの開度制御及び二次側ポンプの回転数制御においては、負荷側機器から流出した水の合計流量、つまりは熱媒体回路内を循環する熱媒体の流量が必要となる。そこで、特許文献１に係るシステムでは、熱媒体回路内を循環する熱媒体の流量を計測するための流量計が、熱媒体回路内に取り付けられている。
【０００４】
しかしながら、流量計は、比較的高価である。そのため、特許文献１に示すように流量計を備える空調システムでは、該システム全体のコストがかさんでしまう。
【０００５】
そこで、本発明の課題は、流量計を用いずに、熱媒体の流量を把握することである。
【課題を解決するための手段】
【０００６】
本発明の第１観点に係る空調システムは、熱源機と、利用ユニットと、熱媒体回路と、流量推定部と、制御部とを備える。熱源機は、熱媒体を加熱または冷却する。利用ユニットは、熱交換器と、ファンとを有する。熱交換器は、熱媒体と空気との間で熱交換を行わせて、空気を加熱または冷却させる。ファンは、加熱または冷却された空気を空調対象空間に供給する。熱媒体回路は、インバータ駆動式の循環ポンプを少なくとも１台有し、熱源機及び利用ユニットの間で熱媒体を循環させる。流量推定部は、熱媒体回路内を循環する熱媒体の流量を推定する。制御部は、流量推定部により推定された熱媒体の流量に基づいて、熱源機に関する制御を行う。そして、流量推定部は、循環ポンプの送水圧力の計測値あるいは循環ポンプの消費電力値と、循環ポンプのインバータ周波数とを用いて、熱媒体の流量を推定する。
【０００７】
この空調システムでは、循環ポンプの送水圧力の計測値と循環ポンプのインバータ周波数との組み合わせ、ないしは循環ポンプの消費電力値と循環ポンプのインバータ周波数との組み合わせにより、熱媒体回路内を循環する熱媒体の流量が推定される。そして、推定された熱媒体の流量は、熱源機に関する制御に用いられる。このように、この空調システムでは、流量計がなくとも、推定された熱媒体の流量を用いて熱源機に関する制御が行われる。従って、流量計を必要とせず、安価に空調システムを実現することができる。
【０００８】
本発明の第２観点に係る空調システムは、第１観点に係る空調システムであって、熱源機は、複数台あって、互いに並列接続されている。熱源機に関する制御には、運転する熱源機の台数を可変する熱源機の台数制御が含まれる。
【０００９】
熱源機の台数制御においては、その性質上、熱媒体回路内を流れる熱媒体の流量が必要となる。従って、熱源機の台数制御を行う際には、流量計が必須となる。しかしながら、この空調システムでは、熱媒体の流量を推定することができる。そのため、熱媒体の流量が必須となる熱源機の台数制御を、流量計を用いずに行うことが可能となる。
【００１０】
本発明の第３観点に係る空調システムは、第２観点に係る空調システムであって、制御部は、熱源機の台数制御において熱源機の台数を１台から２台へと増やした際に必要となる熱媒体の流量が、流量推定部が推定できる熱媒体の下限流量を上回るように、送水圧力の下限値とインバータ周波数の下限値とを設定する。
【００１１】
推定により得られた熱媒体の流量を、どんな場合においても熱源機の台数制御において使用するのであれば、運転する熱源機の台数を１台から２台へと増台する際の熱媒体の流量が推定できることが必要となってくる。そこで、この空調システムでは、熱源機の台数が１台から２台へと増台した際の熱媒体の流量が、流量推定部が推定できる熱媒体の下限流量を上回るように、送水圧力の下限値とインバータ周波数の下限値とが設定される。これにより、空調システムは、熱源機の台数制御を行う際、どのような場合においても、推定により得られた熱媒体の流量を常に用いることができる。
【００１２】
本発明の第４観点に係る空調システムは、第３観点に係る空調システムであって、熱源機は、定速熱源機である。熱源機の台数を１台から２台へと増やした際に必要となる熱媒体の流量とは、各熱源機の定格流量の合計値である。
【００１３】
これにより、空調システムは、熱源機の台数制御を行う場合にも、推定により得られた熱媒体の流量を、確実に用いることが可能となる。
【００１４】
ここで、定速熱源機とは、一定容量タイプの圧縮機を含むために、一定速度で運転する熱源機を言う。
【００１５】
本発明の第５観点に係る空調システムは、第１観点から第４観点に係る空調システムであって、熱媒体回路は、流量調節弁を更に有する。流量調節弁は、該熱媒体回路内を循環する熱媒体の流量を調節する。そして、流量推定部は、更に流量調節弁の開度情報を用いて、熱媒体の流量を推定する。
【００１６】
この空調システムでは、熱媒体回路内を循環する熱媒体の流量の推定において、流量調節弁の開度による熱媒体の戻り流量が、更に用いられる。具体的には、循環ポンプの送水圧力の計測値あるいは循環ポンプの消費電力値と、循環ポンプのインバータ周波数とを用いて推定された熱媒体の流量が、流量調節弁の開度による熱媒体の戻り流量によって、補正される。これにより、熱源機側の流量に対して利用ユニット側の流量が少なくなり、流量調節弁の開度が大きくなった場合であっても、熱媒体回路内を循環する熱媒体の流量の推定を行うことが可能となる。
【発明の効果】
【００１７】
本発明の第１観点に係る空調システムは、流量計がなくとも、推定された熱媒体の流量を用いて熱源機に関する制御を行う。従って、流量計を必要とせず、安価に空調システムを実現することができる。
【００１８】
本発明の第２観点に係る空調システムは、熱媒体の流量が必須となる熱源機の台数制御を、流量計を用いずに行うことができる。
【００１９】
本発明の第３観点に係る空調システムは、熱源機の台数制御を行う際、どのような場合においても、推定により得られた熱媒体の流量を常に用いることができる。
【００２０】
本発明の第４観点に係る空調システムは、熱源機の台数制御を行う場合にも、推定により得られた熱媒体の流量を、確実に用いることが可能となる。
【００２１】
本発明の第５観点に係る空調システムは、流量調整弁の開度が大きくなった場合であっても、熱媒体回路内を循環する熱媒体の流量の推定を行うことが可能となる。
【図面の簡単な説明】
【００２２】
【図１】本発明の一実施形態に係る空調システムの概略構成図。
【図２】チラーユニットの概略構成図。
【図３】冷房除湿運転のときの空気の冷却及び除湿を示す湿り空気線図。
【図４】冷房加湿運転のときの空気の冷却及び加湿を示す湿り空気線図。
【図５】暖房除湿運転のときの空気の加熱及び除湿を示す湿り空気線図。
【図６】暖房加湿運転のときの空気の加熱及び加湿を示す湿り空気線図。
【図７】空調システムコントローラに接続された各種機器と該コントローラ内部とを、模式的に示すブロック図。
【図８】二次側ポンプの特性を表すグラフ。
【図９】変形例Ａに係る二次側ポンプの特性を表すグラフ。
【発明を実施するための形態】
【００２３】
以下、本発明に係る空調システムについて、図面を参照しつつ詳述する。なお、以下の実施形態は、本発明の具体例であって、本発明の技術的範囲を限定するものではない。
【００２４】
（１）空調システムの全体構成
図１は、本発明の一実施形態に係る空調システム１０の概略構成図である。空調システム１０は、該システム１０全体の消費電力を最小限にする最適制御運転を行いつつ、最適な温度に調節された空気を空調対象空間内に供給することができる。主に、空調システム１０は、ビルや工場、病院及びホテル等の、比較的大きい建物内に設置されている。
【００２５】
このような空調システム１０は、図１〜２，７に示すように、主として、チラーユニット群２０、利用ユニット群３０、一次側ポンプ４４ａ〜４４ｃ、二次側ポンプ４６，４７（循環ポンプに相当）及び空調システムコントローラ８０を備える。更に、空調システム１０には、差圧計４８及びポンプ電力計４９の、いずれか１つが備えられている。
【００２６】
チラーユニット群２０を構成する複数のチラーユニット２０a，２０ｂ，２０ｃ内部には、図２に示す冷媒回路２１が構成されている。更に、図１に示すように、チラーユニット群２０は、クーリングタワー７０とも接続されており、これらによって放熱回路６０が構成されている。また、図１に示すように、一次側ポンプ４４ａ〜４４ｃ、チラーユニット群２０、二次側ポンプ４６，４７及び利用ユニット群３０等によって、熱媒体回路４０が構成されている。
【００２７】
（２）空調システムの詳細構成
（２−１）チラーユニット群及び冷媒回路
本実施形態に係るチラーユニット群２０は、複数のチラーユニット２０ａ〜２０ｃ（熱源機に相当）を有している。各チラーユニット２０ａ〜２０ｃは、互いに並列に接続されており、図２に示す冷媒回路２１を含んでいる。本実施形態では、各チラーユニット２０ａ〜２０ｃが、定速熱源機である場合を例に採る。定速熱源機とは、チラーユニット２０ａ〜２０ｃの有する圧縮機２２が、運転容量可変タイプではなく、運転容量を可変することのできない一定容量タイプであるが故に、一定速度で運転を行う熱源機である。
【００２８】
冷媒回路２１は、圧縮機２２、放熱器２３、チラー側膨張弁２４及び蒸発器２５等が順次接続されることで構成されている。冷媒回路２１内部には、冷媒が充填されている。
【００２９】
圧縮機２２は、上述したように、一定容量タイプの圧縮機であって、冷媒回路２１内の冷媒を圧縮する。なお、圧縮機２２は、例えば直流モータを駆動源として運転する。
【００３０】
放熱器２３は、冷媒回路２１と接続された第１伝熱管と、放熱回路６０と接続された第２伝熱管とを有している。放熱器２３は、冷媒回路２１側の第１伝熱管内を流れる冷媒と放熱回路６０側の第２伝熱管を流れる熱媒体との間で、熱交換を行わせる。
【００３１】
チラー側膨張弁２４は、冷媒回路２１内の冷媒を減圧させ、減圧させた冷媒を流出するためのものであり、電動膨張弁で構成される。
【００３２】
蒸発器２５は、冷媒回路２１と接続されている第１伝熱管と、熱媒体回路４０と接続されている第２伝熱管とを有している。蒸発器２５は、冷媒回路２１側の第１伝熱管内を流れる冷媒と、熱媒体回路４０側の第２伝熱管を流れる熱媒体との間で、熱交換を行わせる。
【００３３】
このような冷媒回路２１を含む各チラーユニット２０ａ〜２０ｃは、熱媒体としての水を冷却または加熱する。
【００３４】
（２−２）放熱回路
放熱回路６０には、熱媒体としての水が充填されている。放熱回路６０は、主として、各チラーユニット２０ａ〜２０ｃ内の放熱器２３、水ポンプ６１、及びクーリングタワー７０が、順次接続されることで構成されている。水ポンプ６１は、吐出流量の調節が可能であり、放熱回路６０内の水を循環させる。クーリングタワー７０では、放熱回路６０を循環する水が冷却される。
【００３５】
なお、図１において、水ポンプ６１に付された矢印は、放熱回路６０における水の流れ方向を表している。
【００３６】
（２−３）熱媒体回路、差圧計、ポンプ電力計
熱媒体回路４０は、熱媒体としての水が充填された閉回路を構成しており、各チラーユニット２０ａ〜２０ｃと利用ユニット３０ａ〜３０ｃとの間で水を循環させる。熱媒体回路４０には、主として、一次側ポンプ４４ａ，４４ｂ，４４ｃと、各チラーユニット２０ａ〜２０ｃ内の蒸発器２５と、流量調節弁４５と、二次側ポンプ４６，４７と、利用ユニット群３０を構成する各利用ユニット３０ａ，３０ｂ，３０ｃ内の利用側弁３２ａ，３２ｂ、３２ｃ及び利用側熱交換器３３ａ，３３ｂ，３３ｃ（熱交換器に相当）とが、順次接続されることで構成されている。
【００３７】
一次側ポンプ４４ａ〜４４ｃは、各利用ユニット３０ａ〜３０ｃの出口側と各チラーユニット２０ａ〜２０ｃの入口側とを繋ぐ配管Ｌ１上に接続されている。より具体的には、配管Ｌ１は、各利用ユニット３０ａ〜３０ｃの出口側となる各利用側弁３２ａ〜３２ｃの出口側を、一旦合流した状態にて戻りヘッダー４１に連結すると共に、該ヘッダー４１を介して各チラーユニット２０ａ〜２０ｃに繋いでいる。一次側ポンプ４４ａ〜４４ｃは、戻りヘッダー４１と各チラーユニット２０ａ〜２０ｃとの間に、各チラーユニット２０ａ〜２０ｃに対応して３つ設けられている。一次側ポンプ４４ａ〜４４ｃは、定量ポンプであって、後述する空調システムコントローラ８０により駆動制御される。このような一次側ポンプ４４ａ〜４４ｃは、図１において、一次側ポンプ４４ａ〜４４ｃに付された矢印に示されるように、各利用側熱交換器３３ａ〜３３ｃから流出した熱媒体としての水を、各チラーユニット２０ａ〜２０ｃへと送ることで、熱媒体回路４０内の水を循環させる。
【００３８】
なお、蒸発器２５では、熱媒体回路４０内を循環する水が、例えば冷却される。
【００３９】
流量調節弁４５は、熱媒体回路４０内に流れる水の流量を調節する。つまり、利用側流量すなわち熱媒体回路４０側で必要な水量が少なくなり、利用側弁３２a〜３２ｃが閉まりぎみ且つ二次側ポンプ４６，４７のインバータ周波数が下限値であっても、第２送りヘッダー４３の送水圧力Hは、チラーユニット２０ａを流れる水の流量に対し熱媒体回路４０側で必要な水量が少なくない場合には上昇する。そのため、流量調節弁４５は、その開度を可変させることによって第２送りヘッダー４３から第１送りヘッダー４２に戻る水の流量を調節することで、熱媒体回路４０内に流れる水の流量を調節する。
【００４０】
二次側ポンプ４６，４７は、各チラーユニット２０ａ〜２０ｃの出口側と各利用ユニット３０ａ〜３０ｃの入口側とを繋ぐ配管Ｌ２上に接続されている。より具体的には、配管Ｌ２は、各チラーユニット２０ｂ，２０ｃの出口側を、第１送りヘッダー４２及び第２送りヘッダー４３を介して各利用ユニット３０ａ〜３０ｃにおける利用側熱交換器３３ａ〜３３ｃの入口側に繋いでいる。二次側ポンプ４６，４７は、配管Ｌ２上であって且つ第１送りヘッダー４２と第２送りヘッダー４３との間に、チラーユニット２０ｂ，２０ｃに対応して２つ設けられている。二次側ポンプ４６，４７は、一次側ポンプ４４ａ〜４４ｃとは異なり、容量調整が可能であって吐出容量を調整することができる容量可変型のポンプであって、空調システムコントローラ８０によりインバータ駆動される。このような二次側ポンプ４６，４７は、図１において、二次側ポンプ４６，４７に付された矢印に示されるように、各チラーユニット２０ｂ，２０ｃから流出した熱媒体としての水を、各利用側熱交換器３３ａ〜３３ｃへと送ることで、熱媒体回路４０内の水を循環させる。
【００４１】
なお、各利用ユニット３０ａ，３０ｂ，３０ｃ内の利用側弁３２ａ〜３２ｃ及び利用側熱交換器３３ａ〜３３ｃについては、「（２−４）利用ユニット群」にて詳述する。
【００４２】
また、差圧計４８が空調システム１０に備えられている場合には、差圧計４８は、熱媒体回路４０の第１送りヘッダー４２及び第２送りヘッダー４３の間に１つ取り付けられている。差圧計４８は、流量調節弁４５及び二次側ポンプ４６，４７に対し並列となるように、各送りヘッダー４２，４３の間に取り付けられている。差圧計４８は、第１送りヘッダー４２と第２送りヘッダー４３との間の圧力差、つまりは二次側ポンプ４６，４７の送水圧力を計測する。
【００４３】
また、ポンプ電力計４９が空調システム１０に備えられている場合には、ポンプ電力計４９は、各二次側ポンプ４６，４７に取り付けられている。ポンプ電力計４９は、二次側ポンプ４６，４７それぞれにおいて消費された電力を、二次側ポンプ４６，４７の消費電力量として計測する。
【００４４】
（２−４）利用ユニット群
利用ユニット群３０は、複数の利用ユニット３０ａ，３０ｂ，３０ｃで構成されている。各利用ユニット３０ａ，３０ｂ，３０ｃは、それぞれ同一ないしは異なる空調対象空間内に設置されている。
【００４５】
各利用ユニット３０ａ〜３０ｃは、概ね直方体形状のケーシング３１ａ〜３１ｃを有している。各ケーシング３１ａ〜３１ｃの内部には、空気が流通する空気通路が形成されている。空気通路の流入端には、吸い込みダクト（図示せず）の一端が接続され、空気通路の流出端には、給気ダクト（図示せず）の一端が接続されている。吸い込みダクト及び給気ダクトの他端は、それぞれ空調対象空間に接続されている。
【００４６】
各ケーシング３１ａ〜３１ｃの内部には、熱媒体回路４０を構成する利用側弁３２ａ〜３２ｃ及び利用側熱交換器３３ａ〜３３ｃの他、電気ヒータ３４ａ，３４ｂ，３４ｃ、散水式加湿器３５ａ，３５ｂ，３５ｃ及び送風ファン３６ａ，３６ｂ，３６ｃ（ファンに相当）が配備されている。特に、各ケーシング３１ａ〜３１ｃ内の空気通路には、上流側から下流側に向かって順に、利用側熱交換器３３ａ〜３３ｂ、電気ヒータ３４ａ〜３４ｃ、散水式加湿器３５ａ〜３５ｃ及び送風ファン３６ａ〜３６ｃが配備されている。
【００４７】
利用側弁３２ａ〜３２ｃは、利用側熱交換器３３ａ〜３３ｃそれぞれに流れる水の量を調節する。つまり、利用側熱交換器３３ａ〜３３ｃ内の水の流量は、利用側弁３２ａ〜３２ｃそれぞれの開度によって決まる。
【００４８】
利用側熱交換器３３ａ〜３３ｃは、水と空気との間で熱交換を行わせて、空気を加熱または冷却させる。具体的に、利用側熱交換器３３ａ〜３３ｃは、複数の伝熱フィンと、該伝熱フィンを貫通する伝熱管とを有する、フィンアンドチューブ式の熱交換器である。利用側熱交換器３３ａ〜３３ｃが有する伝熱管には、熱媒体回路４０を循環する水が流れ、伝熱管及び伝熱フィンを介して水の熱が空気に供給されることで、空気が加熱または冷却されるようになっている。
【００４９】
電気ヒータ３４ａ〜３４ｃは、空気の温度を上げるための機器である。電気ヒータ３４ａ〜３４ｃは、出力を段階的に変化させることが可能であって、空気の加熱量を調節できる。
【００５０】
散水式加湿器３５ａ〜３５ｃは、ケーシング３１ａ〜３１ｃの外部に設置されたタンク（図示せず）と接続されている。散水式加湿器３５ａ〜３５ｃは、タンク内の水をノズルから空気中へ散布することで、ケーシング３１ａ〜３１ｃ内を流れる空気を加湿する。つまり、散水式加湿器３５ａ〜３５ｃは、空気の湿度を高めるための機器であり、空気への加湿量を調節できる。
【００５１】
送風ファン３６ａ〜３６ｃは、インバータ制御によって回転数を段階的に変化させることが可能であって、加熱または冷却された空気の送風量を調節できる送風機である。送風ファン３６ａ〜３６ｃは、利用側熱交換器３３ａ〜３３ｃ、電気ヒータ３４ａ〜３４ｃ及び散水式加湿器３５ａ〜３５ｃを経て空調対象空間内へと吹き出される空気の流れを生成する。
【００５２】
（２−５）空調システムコントローラ
空調システムコントローラ８０は、空調システム１０を統括的に制御するためのものである。空調システムコントローラ８０については、後に詳述する。
【００５３】
（３）空調システムの基本動作
次に、空調システム１０の運転動作について説明する。空調システム１０は、空気の冷却と除湿とを行う冷房除湿運転（図３）、空気の冷却と加湿とを行う冷房加湿運転（図４）、空気の除湿と加熱とを行う暖房除湿運転（図５）、及び空気の加熱と加湿とを行う暖房加湿運転（図６）、のいずれかを行うことができる。これにより、空調システム１０は、例えば空調対象空間内の温度及び湿度を、設定温度である２３℃及び設定湿度である５０％になるように、空気調和運転を行うことができる。
【００５４】
（３−１）冷房除湿運転
図３に示す冷房除湿運転では、圧縮機２２、各種ポンプ４４ａ〜４４ｃ，４６，４７，６１、及び送風ファン３６ａ〜３６ｃの運転が行われる。
【００５５】
冷房除湿運転では、基本的には、電気ヒータ３４ａ〜３４ｃが停止状態となり、散水式加湿器３５ａ〜３５ｃの散水も停止状態となる。冷房除湿運転では、冷媒回路２１において冷凍サイクルが行われる。具体的に、圧縮機２２で圧縮された冷媒が、放熱器２３において、放熱回路６０を流れる水に放熱して凝縮する。放熱器２３で冷却された冷媒は、チラー側膨張弁２４で減圧された後に、蒸発器２５において、熱媒体回路４０を流れる水から吸熱して蒸発する。蒸発器２５で蒸発した冷媒は、圧縮機２２に吸入されて圧縮される。なお、放熱器２３で加熱された放熱回路６０を流れる水は、クーリングタワー７０において室外空気へ放熱する。熱媒体回路４０では、冷媒回路２１の蒸発器２５で冷却された水が、各利用側熱交換器３３ａ〜３３ｃにおいて、各ケーシング３１ａ〜３１ｃ内の空気通路を流れる空気を冷却する。各利用側熱交換器３３ａ〜３３ｃを通過した水は、冷媒回路２１の蒸発器２５に戻って再び冷却される。熱媒体回路４０では、蒸発器２５において水が冷媒から得た冷熱が、各利用側熱交換器３３ａ〜３３ｃに搬送され空気に供給される。
【００５６】
各利用ユニット３０ａ〜３０ｃでは、既に述べたように、吸込ダクト（図示せず）によって室内空間から取り込まれた室内空気が、ケーシング３１ａ〜３１ｃ内の空気通路を流れる。この空気は、各利用側熱交換器３３ａ〜３３ｃにおいて熱媒体回路４０の水によって冷却されて除湿される。各利用側熱交換器３３ａ〜３３ｃで冷却及び／または除湿された空気は、給気ダクト（図示せず）を介して、供給空気として室内空間へ供給される。
【００５７】
（３−２）冷房加湿運転
図４に示す冷房加湿運転は、除湿冷房運転に加えて各散水式加湿器３５ａ〜３５ｃの散水による加湿が行われる運転である。各利用側熱交換器３３ａ〜３３ｃにおいて熱媒体回路４０の水によって空気が冷却されて除湿されるまでは、上述の冷房除湿運転と同じであり、その冷却及び／または除湿された空気に各散水式加湿器３５ａ〜３５ｃによる散水が行われる。
【００５８】
各利用側熱交換器３３ａ〜３３ｃによる冷却及び／または除湿にて、供給空気の温度は、所望される設定温度に達することができる。しかし、この冷房加湿運転は、冷却に伴う除湿効果によって空調対象空間内の湿度が所望される設定湿度を下回ってしまう場合に、行われる。
【００５９】
（３−３）暖房除湿運転
図５に示す暖房除湿運転は、再熱除湿運転とも呼ばれる運転である。各利用側熱交換器３３ａ〜３３ｃによる除湿及び／または冷却にて、供給空気の湿度は、所望される設定湿度に達することができる。しかし、この暖房除湿運転は、除湿に伴う冷却効果によって空調対象空間内の温度が所望される設定温度を下回ってしまう場合に、行われる。
【００６０】
この除湿暖房運転では、各利用側熱交換器３３ａ〜３３ｃにおいて除湿のために空気に供給された冷熱量が大きく、必要以上に空気が冷やされた場合に、電気ヒータ３４ａ〜３４ｃが作動して空気再加熱する。
【００６１】
（３−４）暖房加湿運転
図６に示す暖房加湿運転では、電気ヒータ３４ａ〜３４ｃ、散水式加湿器３５ａ〜３５ｃ及び送風ファン３６ａ〜３６ｃの運転が行われる。一方、圧縮機２２、及び各種ポンプ４４ａ〜４４ｃ，４６，４７，６１の運転は、停止される。
【００６２】
暖房加湿運転では、各利用ユニット３０ａ〜３０ｃにおいて、空調対象空間から取り込まれた空気が、まずは各電気ヒータ３４ａ〜３４ｃによって加熱され、次に各散水式加湿器３５ａ〜３５ｃによって加熱されて、供給空気として空調対象空間内に供給される。
【００６３】
（４）空調システムコントローラについての詳細説明
図７は、本実施形態に係る空調システムコントローラ８０の内部構成と、該コントローラ８０に接続された各種機器とを、模式的に表すブロック図である。図７に示すように、空調システムコントローラ８０は、主として、メモリ８１及びＣＰＵ８２にて構成されており、チラーユニット２０ａ〜２０ｃ、利用ユニット３０ａ〜３０ｃ、各種ポンプ４４ａ〜４４ｃ，４６，４７，６１、及び流量調節弁４５と接続されている。また、空調システムコントローラ８０は、空調システム１０が差圧計４８を備えている場合には差圧計４８と、空調システム１０がポンプ電力計４９を備えている場合にはポンプ電力計４９とも、接続されている。空調システムコントローラ８０は、接続されたこれらの機器を制御することで、上述した空調システム１０の基本動作を行わせる。
【００６４】
メモリ８１は、ＲＯＭとＲＡＭとで構成されており、ＲＯＭには、ＣＰＵ８２が読み出して実行する各種プログラム等が格納されている。ＲＡＭは、ＣＰＵ８２のワークメモリとして機能する他、ＣＰＵ８２によって書き換え可能な情報が格納されている。
【００６５】
ＣＰＵ８２は、二次側ポンプ４６，４７のインバータ周波数の可変制御や利用側弁３２ａ〜３２ｃの開度制御等により熱媒体回路４０内を流れる水の流量制御等を行う。図１に示すように、空調システム１０においては、複数の利用ユニット３０ａ〜３０ｃが備えられているため、ＣＰＵ８２は、チラーユニット群２０側からみて最も遠い位置にある利用ユニット３０ａ〜３０ｃ（即ち、末端の利用ユニット３０ａ〜３０ｃ）にも適した流量の水を供給する制御、つまりは末端差圧制御を行っている。
【００６６】
例えば、個々の利用ユニット３０ａ〜３０ｃが、建物における別々の階層に設置されており、一方でチラーユニット群２０が一番下の階層に設置されているとする。一番上の階層に設置されている利用ユニット（例えば、利用ユニット３０ａ）が、チラーユニット群２０から見て一番遠いところに設置されているユニットであるとする。この場合、一番遠い位置にある利用ユニット３０ａにおいては、利用側弁３２ａの開度を全開にしたとしても、二次側ポンプ４６，４７における送水圧力Ｈが不足していれば、流量の適量な水が利用ユニット３０ａに供給されないこととなってしまう。そこで、ＣＰＵ８２は、上記送水圧力Ｈを適切に保つことで、各利用ユニット３０ａ〜３０ｃに水を確実に送る制御として、末端差圧制御を行う。また、この末端差圧制御では、水の流量が少量時の二次側ポンプ４６，４７の消費電力も抑えられるようにするため制御も行われる。
【００６７】
具体的に、末端差圧制御においては、ＣＰＵ８２は、二次側ポンプ４６，４７の送水圧力Ｈの目標値を目標圧力として決定し、実際の二次側ポンプ４６，４７の送水圧力Ｈが該目標圧力となるように、二次側ポンプ４６，４７のインバータ周波数を増減させる。つまり、ＣＰＵ８２は、目標圧力に基づいて、二次側ポンプ４６，４７の回転数に対してＰＩＤ制御を行い、二次側ポンプ４６，４７の容量を可変させる。そして、ＣＰＵ８２は、空調対象空間内の温度に対してもＰＩＤ制御を行い、且つ各利用側弁３２ａ〜３２ｃの開度を増減させることで、配管Ｌ１及びＬ２の有する抵抗成分を増減させて、該配管Ｌ１，Ｌ２内、つまりは熱媒体回路４０内を循環する水の流量を調節する。
【００６８】
特に、本実施形態に係るＣＰＵ８２は、空調システム１０における二次側の負荷（具体的には、利用ユニット３０ａ〜３０ｃ）に応じて、運転するチラーユニット２０ａ〜２０ｃの台数を可変させる熱源機台数制御を、チラーユニット２０ａ〜２０ｃに関する制御として行う。例えば、チラーユニット２０ａ〜２０ｃから見て負荷側となる利用ユニット３０ａ〜３０ｃの負荷が小さい場合には、運転するべきチラーユニット２０ａ〜２０ｃは１台等でも足りるが、利用ユニット３０ａ〜３０ｃの負荷が大きい場合には、運転するべきチラーユニット２０ａ〜２０ｃの台数は比較的多く必要となるはずである。特に、全てのチラーユニット２０ａ〜２０ｃは、いわゆる定速熱源機であるが故に、チラーユニット１台あたりの熱源機としての能力は決定されている。また、仮に、利用ユニット３０ａ〜３０ｃの負荷が小さい一方で、全てのチラーユニット２０ａ〜２０ｃが運転している場合には、空調システム１０全体としての消費電力量が大きくなってしまう。そこで、空調システム１０全体の消費電力量が小さくなり、且つ利用ユニット３０ａ〜３０ｃの負荷にも十分対応できる程度に、チラーユニット２０ａ〜２０ｃの運転台数を確保することが好ましい。
【００６９】
このような熱源機台数制御の実施にあたり、熱媒体回路４０内を循環する水の流量Ｑは、重要な要素の一つとなる。熱媒体回路４０内を循環する水は、チラーユニット２０ａ〜２０ｃから利用ユニット３０ａ〜３０ｃへと熱を運ぶ媒体であり、その流量Ｑは、流量調節弁４５の開度制御や二次側ポンプ４６，４７のインバータ周波数制御、更には、運転させるべきチラーユニット２０ａ〜２０ｃの台数等にも、幅広く影響を及ぼす。そこで、本実施形態に係るＣＰＵ８２は、熱媒体回路４０内を循環する水の流量Ｑの推定も行う。
【００７０】
このような動作を行うため、図７に示すように、ＣＰＵ８２は、主として、流量推定部８２ａ、及びチラー関連制御部８２ｂ（制御部に相当）として機能する。
【００７１】
（４−１）流量推定部
流量推定部８２ａは、二次側ポンプ４６，４７に関連する各種情報を用いて、水の流量Ｑの推定を行う。具体的には、流量推定部８２ａは、以下の組み合わせのいずれかを用いて、水の流量Ｑを推定する。
（組み合わせ１）二次側ポンプ４６，４７の送水圧力Ｈの計測値と、二次側ポンプ４６，４７のインバータ周波数
（組み合わせ２）二次側ポンプ４６，４７の消費電力値と、二次側ポンプ４６，４７のインバータ周波数
【００７２】
上記組み合わせ１が採用される場合には、空調システム１０は、差圧計４８を備えている。上記組み合わせ１において、二次側ポンプ４６，４７の送水圧力を“Ｈ１”、二次側ポンプ４６，４７のインバータ周波数を“ｆ１”、水の流量を“Ｑ１”とすると、これら二次側ポンプ４６，４７に関する各種情報及び水の流量Ｑ１の関係は、例えば次式（１）における関数にて表される。
【００７３】
【数１】
2014035101.tif 000003
【００７４】
上式（１）において、右辺の“ａ１”“ａ２”“ａ３”“ａ４”は、二次側ポンプ４６，４７のインバータ周波数の定格値、二次側ポンプ４６，４７のポンプ特性に関するパラメータである。流量推定部８２ａは、上記組み合わせ１にて水の流量Ｑ１を求める場合には、差圧計４８による計測値を“Ｈ１”に代入すると共に、二次側ポンプ４６，４７のインバータ周波数を“ｆ１”、に代入する。そして、流量推定部８２ａは、各種数値が代入された上式（１）を、水の流量Ｑ１について解くことで、熱媒体回路４０内を循環する水の流量Ｑ１を求めることができる。
【００７５】
上記組み合わせ２が採用される場合には、空調システム１０は、ポンプ電力計４９を備えている。上記組み合わせ２において、二次側ポンプ４６，４７の消費電力値を“Ppump”、二次側ポンプ４６，４７のインバータ周波数を“ｆ２”、水の流量を“Ｑ２”とすると、これら二次側ポンプ４６，４７に関する各種情報及び水の流量Ｑ２の関係は、例えば次式（２）における関数にて表される。
【００７６】
【数２】
2014035101.tif 000004
【００７７】
上式（２）において、左辺の“ｇ１（Ｑ２，ｆ２）”“ｇ２（Ｑ２，ｆ２）”“ｇ３（Ｑ２，ｆ２）”“ｇ４（Ｑ２，ｆ２）”は、それぞれ水の流量Ｑ２及び二次側ポンプ４６，４７のインバータ周波数ｆ２を変数とする関数を表しているが、これらは互いに別々の関数である。流量推定部８２ａは、上記組み合わせ２にて水の流量Ｑ２を求める場合には、ポンプ電力計４９による計測値を“Ｐpump”に代入すると共に、二次側ポンプ４６，４７のインバータ周波数を“ｆ２”、に代入する。そして、流量推定部８２ａは、各種数値が代入された上式（２）を、水の流量Ｑ２について解くことで、熱媒体回路４０内を循環する水の流量Ｑ２を求めることができる。なお、上式（２）は、非線形方程式であるため、流量推定部８２ａは、上式（２）を、二分法、セカント法、ニュートン・ラフソン法等を用いて解く。
【００７８】
（４−２）チラー関連制御部
チラー関連制御部８２ｂは、上記のようにして推定された水の流量Ｑ（具体的には、流量Ｑ１または流量Ｑ２）に基づいて、チラーユニット２０ａ〜２０ｃに関する制御を行う。具体的には、チラー関連制御部８２ｂは、推定された水の流量Ｑを用いて、上述した熱源機台数制御を行う。
【００７９】
ところで、熱源機台数制御には、運転するチラーユニット２０ａ〜２０ｃの台数が２台から３台に増台する場合等の他、１台から２台に増台する場合も含まれる。特に、運転するチラーユニット２０ａ〜２０ｃの台数が１台から２台に増台する場合には、水の流量Ｑは、流量値が比較的小さな範囲内にて変化することとなる。このような場合にも、水の流量Ｑが確実に推定されなければ、熱源機台数制御は適切に行われなくなってしまう。
【００８０】
そこで、チラー関連制御部８２ｂは、熱源機台数制御において、運転するチラーユニット２０ａ〜２０ｃの台数を１台から２台へと増台した際に必要となる水の流量Ｑが、流量推定部８２ａが推定できる水の下限流量を上回るように、二次側ポンプ４６，４７の送水圧力Ｈの下限値と該ポンプ４６，４７のインバータ周波数ｆの下限値とを、設定する。
【００８１】
図８は、二次側ポンプ４６，４７の特性を表すグラフである。図８では、横軸に水の流量Ｑを、縦軸に送水圧力Ｈをそれぞれ採っており、二次側ポンプ４６，４７のインバータ周波数が一定の場合における水の流量Ｑと送水圧力Ｈとの関係をグラフ化している。二次側ポンプ４６，４７のインバータ周波数が一定の場合、水の流量Ｑが大きい程送水圧力Ｈが小さく、逆に水の流量Ｑが小さい程送水圧力Ｈが大きい関係を有しつつ、水の流量Ｑと送水圧力Ｈとは、図８に示すような曲線を描く（グラフｊ１，ｊ２）。そして、インバータ周波数が大きい程、水の流量Ｑと送水圧力Ｈとが描く曲線は、流量Ｑ及び送水圧力Ｈが全体的に大きくなるようにシフトし（グラフｊ２）、逆にインバータ周波数が小さい程、該曲線は、流量Ｑ及び送水圧力Ｈが全体的に小さくなるようにシフトする（グラフｊ１）。
【００８２】
そして、図８に示すように、流量推定部８２ａが推定できる水の下限流量は、送水圧力Ｈの下限値とインバータ周波数の下限値とにより決定する。ここで、運転台数が１台から２台へと増台した際の水の流量Ｑは、熱源機台数制御において考えられる最低限の水量である。そのため、このような水量も確実に推定できるようにしておくため、チラー関連制御部８２ｂは、送水圧力Ｈの下限値とインバータ周波数の下限値とを、推定できる水の下限流量よりも、チラーユニット２０ａ〜２０ｃの台数を１台から２台へと増台した際に必要となる水の流量Ｑの方が大きくなる条件を満たすようにして、設定するのである。
【００８３】
ここで、本実施形態に係るチラーユニット２０ａ〜２０ｃは、いわゆる定速熱源機であることから、運転するチラーユニット２０ａ〜２０ｃの台数を１台から２台へと増台した際に必要となる水の流量Ｑとは、例えば、各チラーユニット２０ａ〜２０ｃの定格流量の合計値が挙げられる。
【００８４】
（５）空調システムの特徴
（５−１）
本実施形態に係る空調システム１０では、二次側ポンプ４６，４７の送水圧力の計測値Ｈと二次側ポンプ４６，４７のインバータ周波数との組み合わせ１、ないしは、二次側ポンプ４６，４７の消費電力値と二次側ポンプのインバータ周波数との組み合わせ２、のいずれかにより、熱媒体回路４０内を循環する熱媒体としての水の流量Ｑが推定される。そして、推定された水の流量Ｑは、チラーユニット２０ａ〜２０ｃに関する制御に用いられる。このように、本実施形態に係る空調システム１０では、流量計がなくとも、推定した水の流量Ｑを用いてチラーユニット２０ａ〜２０ｃに関する制御が行われる。従って、流量計を必要とせず、安価に空調システム１０を実現することができる。
【００８５】
（５−２）
本実施形態に係る空調システム１０は、互いに並列接続された複数台のチラーユニット２０ａ〜２０ｃを有している。そして、チラーユニット２０ａ〜２０ｃに関する制御には、運転するチラーユニット２０ａ〜２０ｃの台数を可変する熱源機台数制御が含まれる。
【００８６】
熱源機台数制御においては、その性質上、熱媒体回路４０内を流れる水の流量Ｑが必要となる。そのため、熱源機台数制御を行う際には、従来より流量計が必須となる。しかしながら、本実施形態に係る空調システム１０では、水の流量Ｑを推定することができる。そのため、空調システム１０は、水の流量Ｑが必須となる熱源機台数制御を、流量計を用いずに行うことが可能となる。
【００８７】
（５−３）
推定により得られた水の流量Ｑを熱源機台数制御において確実に使用するのであれば、運転するチラーユニット２０ａ〜２０ｃの台数を１台から２台へと増台する際の水の流量Ｑが推定できることが必要となってくる。そこで、本実施形態に係る空調システム１０では、運転するチラーユニット２０ａ〜２０ｃの台数が１台から２台へと増台した際の水の流量Ｑが、流量推定部８２ａとして機能するＣＰＵ８２が推定できる水の下限流量を上回るように、送水圧力の下限値とインバータ周波数の下限値とが設定される。これにより、空調システム１０は、熱源機台数制御を行う際、どのような場合においても、推定により得られた水の流量Ｑを常に用いることができる。
【００８８】
（５−４）
本実施形態に係る空調システム１０のチラーユニット２０ａ〜２０ｃそれぞれは、一定容量タイプの圧縮機２２を含む定速熱源機である。そして、チラーユニット２０ａ〜２０ｃの台数を１台から２台へと増やした際に必要となる水の流量Ｑとは、各チラーユニット２０ａ〜２０ｃの定格流量の合計値である。これにより、空調システム１０は、熱源機台数制御を行う場合にも、推定により得られた水の流量Ｑを、確実に用いることが可能となる。
【００８９】
（６）変形例
（６−１）変形例Ａ
上記実施形態では、インバータ駆動される容量可変タイプのポンプが、二次側ポンプ４６，４７として、互いに並列に接続された場合について説明した。しかし、二次側ポンプ４６，４７のうち一方がインバータ駆動される容量可変タイプのポンプであり、他方が定量タイプのポンプであってもよい。この場合、図９及び次式（３）にて示されるように、熱媒体回路４０内を流れる水の流量Ｑは、容量可変タイプのポンプにおける水の流量ｑ１と、定量タイプのポンプにおける水の流量ｑ２との合計値によって推定される。
【００９０】
【数３】
2014035101.tif 000005
【００９１】
上式（３）において、“ｍ”は、容量可変タイプのポンプの運転台数、“ｎ”は、定量タイプのポンプの運転台数を表す。なお、図９のグラフｊ１１は、定量タイプのポンプの特性を表すグラフで、グラフｊ１２は、容量可変タイプのポンプ特性を表している。水の流量ｑ１は、例えば、設定された送水圧力Ｈの計測値及び容量可変タイプのポンプのインバータ周波数によって決定する。水の流量ｑ２は、例えば、送水圧力Ｈの目標値と、定量タイプのポンプの周波数とによって決定する。つまり、水の流量ｑ１は、インバータ周波数の変化に伴い変化する。一方、定量タイプのポンプの周波数は一定のため、水の流量ｑ２は、周波数によって変化することはない。
【００９２】
（６−２）変形例Ｂ
上記実施形態において、二次側ポンプ４６，４７に並列接続されている流量調節弁４５の開度を表す開度情報を更に考慮して、水の流量Ｑが推定されてもよい。
【００９３】
既に述べたように、ＣＰＵ８２は、実際の二次側ポンプ４６，４７の送水圧力Ｈが該目標圧力となるように、二次側ポンプ４６，４７のインバータ周波数を増減させる制御を行っている。ここで、二次側ポンプ４６，４７のインバータ周波数の下限値は、一般的には決められているため、インバータ周波数が下限値を採る場合には、ＣＰＵ８２は、二次側ポンプ４６，４７の送水圧力を、流量調節弁４５の開度によって制御する。なお、インバータ周波数の下限値は、例えば利用ユニット３０ａ〜３０ｃにおける利用側弁３２ａ〜３２ｃが開いたことにより、利用ユニット３０ａ〜３０ｃ側において急に負荷が変化した場合にも対応できるように、設定されている。
【００９４】
この場合、流量推定部８２ａは、インバータ周波数が下限値を採る場合の二次側ポンプ４６，４７における水の流量ｑ３を、送水圧力Ｈ等から推定する。そして、流量推定部８２ａは、流量調節弁４５によって第２送りヘッダー４３側から二次側ポンプ４６，４７の入口側である第１送りヘッダー４２へと戻っている水の流量ｑ４を、例えば流量調節弁４５の弁開度、差圧計４８による計測値（即ち、二次側ポンプ４６，４７の送水圧力Ｈ）、及び流量調節弁４５の設計流量（具体的には、流量調節弁４５が全開であって送水圧力Ｈが設計圧力である時の、水の流量）等を用いて、推定する。次いで、流量推定部８２ａは、これらの水の流量ｑ３，ｑ４の差を求めることで、熱媒体回路４０内を実際に循環している水の流量Ｑを、より正確に推定することが可能である（Ｑ＝ｑ３−ｑ４）。
【００９５】
（６−３）変形例Ｃ
上記実施形態の空調システム１０では、図１に示すように、インバータ駆動される容量可変タイプの二次側ポンプ４６，４７が、２台備えられている場合について説明した。しかし、空調システム１０が備える容量可変タイプのポンプの台数は、２台に限定されず、１台であってもよい。即ち、空調システム１０は、インバータ駆動される容量可変タイプのポンプを、少なくとも１台備えることができる。
【００９６】
また、上記実施形態では、インバータ駆動される容量可変タイプのポンプが、二次側ポンプ４６，４７にて採用されている場合について説明した。しかし、インバータ駆動される容量可変タイプのポンプは、二次側ポンプ４６，４７でなく、一次側ポンプ４４ａ〜４４ｃにて採用されていてもよい。または、二次側ポンプ４６，４７及び一次側ポンプ４４ａ〜４４ｃの両方が、インバータ駆動される容量可変タイプのポンプであってもよい。
【００９７】
（６−４）変形例Ｄ
上記実施形態では、複数台のチラーユニット２０ａ〜２０ｃに対して熱源機台数制御が行われる場合について説明した。しかし、熱源機台数制御を行わないのであれば、空調システム１０は、チラーユニットを１台のみ備えていても良い。この場合、空調システム１０も、熱媒体回路４０内を循環する水の流量Ｑの推定は、上述した通り行われる。
【００９８】
（６−５）変形例Ｅ
上記実施形態の空調システム１０は、図１，７に示すように、差圧計４８もしくはポンプ電力計４９を備えている場合について説明した。しかし、二次側ポンプ４６，４７の送水圧力Ｈや、該ポンプ４６，４７の消費電力量は、実際に計測されるのではなく、演算によって求められてもよい。これにより、空調システム１０は、より低コストにて実現される。
【００９９】
（６−６）変形例Ｆ
上記実施形態では、熱媒体回路４０内を循環する熱媒体が水である場合について説明した。しかし、熱媒体は、水以外であってもよい。
【０１００】
（６−７）変形例Ｇ
上記実施形態では、空調システム１０が、複数の利用ユニット３０ａ〜３０ｃを備えている場合について説明した。しかし、空調システム１０が備える利用ユニット３０ａ〜３０ｃの数は、複数台ではなく、１台であってもよい。
【０１０１】
（６−８）変形例Ｈ
上記実施形態では、空調システム１０が利用ユニット群３０を備えるとして説明した。しかし、利用ユニットは、プロセス用の冷却または加熱熱交換器、すなわちファンを伴わない水熱交換器であってもよい。
【０１０２】
（６−９）変形例Ｉ
上記実施形態では、熱源機であるチラーユニット２０ａ〜２０ｃが水冷チラーユニットである場合について説明した。しかし、チラーユニットは、空冷チラーユニット、すなわち放熱回路６０を有しないものであってもよい。また、熱源機は、温水ボイラなどの冷媒回路を有しない機器であってもよい。
【０１０３】
（６−１０）変形例Ｊ
上記実施形態では、複数の利用ユニット３０ａ〜３０ｃが１つの第２送りヘッダー４３に接続された構成を有する空調システム１０について説明した。しかし、第２送りヘッダーは、複数設けられていてもよい。この場合には、第２送りヘッダーごとの二次側ポンプにおいて計測された水の流量の合計値によって、熱源機（例えば、チラーユニット２０ａ〜２０ｃ）に関する制御等が行われる。
【符号の説明】
【０１０４】
１０  空調システム
２０  チラーユニット群
２０ａ〜２０ｃ  チラーユニット（熱源機）
２１  冷媒回路
２２  圧縮機
２３  放熱器
２４  チラー側膨張弁
２５  蒸発器
３０  利用ユニット群
３０ａ〜３０ｃ  利用ユニット
３１ａ〜３１ｃ  ケーシング
３２ａ〜３２ｃ  利用側弁
３３ａ〜３３ｃ  利用側熱交換器（熱交換器）
３４ａ〜３４ｃ  電気ヒータ
３５ａ〜３５ｃ  散水式加湿器
３６ａ〜３６ｃ  送風ファン（ファン）
４０  熱媒体回路
４１  戻りヘッダー
４２  第１送りヘッダー
４３  第２送りヘッダー
４４ａ〜４４ｃ  一次側ポンプ
４５  流量調節弁
４６，４７  二次側ポンプ（循環ポンプ）
４８  差圧計
４９  ポンプ電力計
６０  放熱回路
６１  水ポンプ
７０  クーリングタワー
８０  空調システムコントローラ
８１  メモリ
８２  ＣＰＵ
８２ａ  流量推定部
８２ｂ  チラー関連制御部（制御部）
Ｈ  送水圧力
Ｑ  水（熱媒体）の流量
【先行技術文献】
【特許文献】
【０１０５】
【特許文献１】特開２００５−２４１１２号公報
【図１】
2014035101.tif 000006
【図２】
2014035101.tif 000007
【図３】
2014035101.tif 000008
【図４】
2014035101.tif 000009
【図５】
2014035101.tif 000010
【図６】
2014035101.tif 000011
【図７】
2014035101.tif 000012
【図８】
2014035101.tif 000013
【図９】
2014035101.tif 000014